(57)【要約】【課題】簡易な構成で発色反応検出機器が安定したことを検出し、使用時期を問わず安定的に高精度な検出を行うことを可能とした発色反応検出装置を提供する。【解決手段】被測定物の発色反応を検出する発色反応検出機器２と、発色反応検出機器の状態を把握する情報処理端末３とを備え、発色反応検出機器２は、光を発生させる発光手段２２ａと、発光手段２２ａの発光を制御する制御手段２２ｂと、光導波路基板中を通った光を検出して光検出信号を計測する受光手段２２ｃと、を備え、情報処理端末３は、光検出信号を受信し、光検出信号の変動率を算出する算出手段３２と、算出手段３２によって算出された変動率から発色反応検出機器が安定したか否かを判断する判断手段３３と、判断手段３３の判断結果を報知する報知手段３ｇとを備える。【選択図】図４
2009069066.tif 000002
【特許請求の範囲】
【請求項１】
光導波路基板上に配置された被測定物に前記光導波路基板中を通る光を照射し、前記光を受光することによって前記被測定物の発色反応を検出する発色反応検出機器と、前記発色反応検出機器の状態を把握する情報処理端末とを備え、
前記発色反応検出機器は、
前記光を発生させる発光手段と、
前記発光手段の発光を制御する制御手段と、
前記光導波路基板中を通った光を検出して光検出信号を計測する受光手段と、を備え、
前記情報処理端末は、
前記発色反応検出機器から送信された前記光検出信号を受信し、前記光検出信号の変動率を算出する算出手段と、
前記算出手段によって算出された変動率から前記発色反応検出機器が安定したか否かを判断する判断手段と、
前記判断手段の判断結果を報知する報知手段と、
を備えることを特徴とする発色反応検出装置。
【請求項２】
光導波路基板上に配置された被測定物に前記光導波路基板中を通る光を照射し、前記光を受光することによって前記被測定物の発色反応を検出する発色反応検出機器の状態を把握する情報処理端末を、
前記発色反応検出機器から送信された光検出信号を受信し、前記光検出信号の変動率を算出する算出手段と、
前記算出手段によって算出された変動率から前記発色反応検出機器が安定したか否かを判断する判断手段と、
前記判断手段の判断結果を報知する報知手段
として機能させるための発色反応検出機器安定化プログラム。
【請求項３】
光導波路基板上に配置された被測定物に前記光導波路基板中を通る光を照射し、前記光を受光することによって前記被測定物の発色反応を検出する発色反応検出機器と、前記発色反応検出機器の状態を把握する情報処理端末とを備え、
前記発色反応検出機器は、
前記光を発生させる発光手段と、
前記発光手段の発光を制御する制御手段と、
前記光導波路基板中を通った光を検出して光検出信号を計測する受光手段と、
前記発色反応検出機器内の温度を検出する温度検出手段と、を備え、
前記情報処理端末は、
前記発色反応検出機器から送信された前記温度検出手段によって検出された温度情報を受信し、前記温度情報に基づいて変動率を算出する算出手段と、
前記算出手段によって算出された変動率から前記発色反応検出機器が安定したか否かを判断する判断手段と、
前記判断手段の判断結果を報知する報知手段と、
を備えることを特徴とする発色反応検出装置。
【請求項４】
光導波路基板上に配置された被測定物に前記光導波路基板中を通る光を照射し、前記光を受光することによって前記被測定物の発色反応を検出する発色反応検出機器の状態を把握する情報処理端末を、
前記発色反応検出機器から送信された前記発色反応検出機器が備える温度検出手段によって検出された温度情報を受信し、前記温度情報に基づいて変動率を算出する算出手段と、
前記算出手段によって算出された変動率から前記発色反応検出機器が安定したか否かを判断する判断手段と、
前記判断手段の判断結果を報知する報知手段
として機能させるための発色反応検出機器安定化プログラム。
【発明の詳細な説明】
【技術分野】
【０００１】
本発明は、被測定物の発色反応を検出する発色反応検出機器と、発色反応検出機器の状態を把握する情報処理端末とから構成される発色反応検出装置及び発色反応検出機器安定化プログラムに関する。
【背景技術】
【０００２】
インシュリン等の各種ホルモン、タンパク質、血糖等のセンシング対象物質の濃度測定方法として、例えば、電極反応で発生する電圧を測定する方法や物質と反応して吸着される色素を用いてその色変化をレーザ光等の光量の変化で測定する光学式濃度測定方法等を挙げることができる。このうち、光学式濃度測定方法は、測定の分解能が高いという利点がある。
【０００３】
この光学式濃度測定方法について簡単に説明すると以下の通りである。すなわち、ガラスチップの上に液体状の被測定物を配置し、被測定物に例えば色素を反応させて被測定物の濃度に応じて入射光が吸収されるようにする。その後、ガラスチップ内にレーザ光を導き、被測定物が配置された領域を通過したレーザ光をガラスチップの外側に取り出して光量の検出を行う。この検出された光量の値から被測定物の濃度を算出する。
【０００４】
この光学式濃度測定方法を採用する濃度測定装置としては以下の特許文献１に開示された構成を備える濃度測定装置を挙げることができる。
【０００５】
この濃度測定装置は、光導波路基板を載置してこの光導波路基板と対向する基板載置面を有するブロックと、濃度検出用の光を出射する光源を備える光源モジュールと検出器とを備え、光源モジュールと検出器とがブロックに固定され、光源から出射される光がブロックに載置された光導波路基板に規定の入射角度で入射するように設定され、光導波路基板から出射される光を受ける位置に検出器の受光面が配置されていることを要旨とする。
【特許文献１】特開２００６−９０９０２号公報
【発明の開示】
【発明が解決しようとする課題】
【０００６】
しかしながら、上記特許文献１に開示された発明の構成を採用する濃度測定装置では、その電源投入直後に測定を行うと、その測定結果の値（光検出信号）が一定しないという現象が生ずる可能性があった。
【０００７】
すなわち、同一の濃度である複数の被測定物を使用して上記濃度測定装置においてそれらの濃度を測定すると、被測定物の濃度は同一であることから光検出信号は同一の値を示す。それにもかかわらず、測定の度にそれらの測定結果の値がバラつくと、精度の良い濃度測定を行うことは困難である。また、例えば電源投入直後一定の時間の間は測定結果の値が一定しないということであれば、上記濃度測定装置を使用しての測定可能な時間が限定されることになり、使い勝手が悪い。
【０００８】
本発明は上記課題を解決するためになされたものであり、本発明の目的は、簡易な構成で発色反応検出機器が安定したことを検出し、使用時期を問わず安定的に高精度な検出を行うことを可能とした発色反応検出装置を提供することである。
【課題を解決するための手段】
【０００９】
本発明の実施の形態に係る第１の特徴は、発色反応検出装置において、光導波路基板上に配置された被測定物に光導波路基板中を通る光を照射し、光を受光することによって被測定物の発色反応を検出する発色反応検出機器と、発色反応検出機器の状態を把握する情報処理端末とを備え、発色反応検出機器は、光を発生させる発光手段と、発光手段の発光を制御する制御手段と、光導波路基板中を通った光を検出して光検出信号を計測する受光手段と、を備え、情報処理端末は、発色反応検出機器から送信された光検出信号を受信し、光検出信号の変動率を算出する算出手段と、算出手段によって算出された変動率から発色反応検出機器が安定したか否かを判断する判断手段と、判断手段の判断結果を報知する報知手段とを備える。
【００１０】
本発明の実施の形態に係る第２の特徴は、光導波路基板上に配置された被測定物に前記光導波路基板中を通る光を照射し、前記光を受光することによって前記被測定物の発色反応を検出する発色反応検出機器の状態を把握する情報処理端末を、発色反応検出機器から送信された光検出信号を受信し、光検出信号の変動率を算出する算出手段と、算出手段によって算出された変動率から発色反応検出機器が安定したか否かを判断する判断手段と、判断手段の判断結果を報知する報知手段として機能させるための発色反応検出機器安定化プログラムである。
【００１１】
本発明の実施の形態に係る第３の特徴は、発色反応検出装置において、光導波路基板上に配置された被測定物に光導波路基板中を通る光を照射し、光を受光することによって被測定物の発色反応を検出する発色反応検出機器と、発色反応検出機器の状態を把握する情報処理端末とを備え、発色反応検出機器は、光を発生させる発光手段と、発光手段の発光を制御する制御手段と、光導波路基板中を通った光を検出して光検出信号を計測する受光手段と、発色反応検出機器内の温度を検出する温度検出手段と、を備え、情報処理端末は、発色反応検出機器から送信された温度検出手段によって検出された温度情報を受信し、温度情報に基づいて変動率を算出する算出手段と、算出手段によって算出された変動率から発色反応検出機器が安定したか否かを判断する判断手段と、判断手段の判断結果を報知する報知手段とを備える。
【００１２】
本発明の実施の形態に係る第４の特徴は、光導波路基板上に配置された被測定物に前記光導波路基板中を通る光を照射し、前記光を受光することによって前記被測定物の発色反応を検出する発色反応検出機器の状態を把握する情報処理端末を、発色反応検出機器から送信された発色反応検出機器が備える温度検出手段によって検出された温度情報を受信し、温度情報に基づいて変動率を算出する算出手段と、算出手段によって算出された変動率から発色反応検出機器が安定したか否かを判断する判断手段と、判断手段の判断結果を報知する報知手段として機能させるための発色反応検出機器安定化プログラムである。
【発明の効果】
【００１３】
本発明によれば簡易な構成で発色反応検出機器が安定したことを検出し、使用時期を問わず安定的に高精度な検出を行うことを可能とした発色反応検出装置を提供することができる。
【発明を実施するための最良の形態】
【００１４】
以下、本発明の実施の形態について図面を参照して詳細に説明する。
【００１５】
（第１の実施の形態）
まず、第１の実施の形態に係る発色反応検出装置を説明する。本発明の第１の実施の形態に係る発色反応検出装置１は、発色反応検出機器２と情報処理端末３とから構成される。
【００１６】
発色反応検出機器２は、図１に示すような被測定物の発色反応を検出する機器である。発色反応検出機器２は略直方体の筐体を有し、筐体外部２１の上面に矩形状の開口部２１ａが形成されている。一方、筐体内部２２には被測定物を測定するための各手段（後述）が収められており、被測定物を載置する領域が開口部２１ａに露出している。
【００１７】
筐体外部２１の上面には開口部２１ａを開閉させる蓋２１ｂが回動自在に支持されている。この蓋２１ｂの端部には、筐体外部２１の上面に形成されたスイッチ孔２１ｃに嵌合するピン２１ｄが設けられている。なお、蓋２１ｂの内側面には黒色に塗装されて光を吸収するようにされている。
【００１８】
スイッチ孔２１ｃの下方には、図１では図示しないインターロックのスイッチが配置されており、蓋２１ｂが閉じられたときに筐体内部２２に設けられた各手段の駆動が可能となるようにされている。さらに、筐体外部２１の上面には後述する発光手段の駆動スイッチ２１ｅが設けられている。インターロックスイッチがピン２１ｄで押されている状態、すなわち、蓋２１ｂが閉じた状態でのみ駆動スイッチ２１ｅをＯＮにできるようになっている。
【００１９】
筐体内部２２には、図２に示すように、発光手段２２ａと、制御手段２２ｂと、受光手段２２ｃと、通信制御手段２２ｄと、信号入力手段２２ｅとがバスＢを介して接続されて設けられている。信号入力手段２２ｅは、インターロックスイッチや駆動スイッチ２１ｅの総称である。
【００２０】
発光手段２２ａは、被測定物に設けられたセンシング膜中を導波させる光を発生させる。光を発光させるためには、上述したように、蓋２１ｂが閉じられてインターロックスイッチが入っている状態で、かつ、操作者が駆動スイッチ２１ｅを押す必要がある。制御手段２２ｂは、信号入力手段２２ｅからの信号を受信してこのような条件が揃ったことを検知した上で被測定物の測定を行うための発光手段２２ａの発光を制御する。発光手段２２ａから出射された光は、被測定物のいわゆるセンシング膜で吸収されながら光導波膜内を進む。センシング膜を導波した光は受光手段２２ｃにおいて検出され光検出信号が計測される。受光手段２２ｃによって計測された光検出信号は通信制御手段２２ｄを介して情報処理端末３に送信される。
【００２１】
図３は、情報処理端末３の内部構成を示すブロック図である。情報処理端末３としては、例えばいわゆるパソコン等、発色反応検出機器２の状態を把握することのできる情報処理端末であればどのような形態のものであっても良い。
【００２２】
情報処理端末３は、ＣＰＵ（Central Processing Unit）３ａと、ＲＯＭ(Read Only Memory)３ｂと、ＲＡＭ（Random Access Memory）３ｃ及び入出力インターフェイス３ｄがバス３ｅを介して接続されている。入出力インターフェイス３ｄには、入力手段３ｆと、表示手段３ｇと、通信制御手段３ｈと、記憶手段３ｉと、リムーバブルディスク３ｊと、情報処理端末３の各部を駆動する駆動部を制御する駆動部制御手段３ｋとが接続されている。
【００２３】
ＣＰＵ３ａは、入力手段３ｆからの入力信号に基づいてＲＯＭ３ｂから情報処理端末３を起動するためのブートプログラムを読み出して実行し、記憶手段３ｉに格納されている各種オペレーティングシステムを読み出す。またＣＰＵ３ａは、入力手段３ｆや入出力インターフェイス３ｄを介して、図１に示す発色反応検出機器２からの光検出信号や図３において図示していないその他の外部機器からの入力信号に基づいて各種装置の制御を行う。さらにＣＰＵ３ａは、ＲＡＭ３ｃや記憶手段３ｉ等に記憶されたプログラム及びデータを読み出してＲＡＭ３ｃにロードするとともに、ＲＡＭ３ｃから読み出されたプログラムのコマンドに基づいて、データの計算または加工等、一連の処理を実現する処理装置である。
【００２４】
入力手段３ｆは、情報処理端末３の操作者が各種の操作を入力するキーボード、ダイヤル等の入力デバイスにより構成されており、操作者の操作に基づいて入力信号を作成しバス３ｅを介してＣＰＵ３ａに送信される。表示手段３ｇは、例えば液晶ディスプレイであり、例えばＣＰＵ３ａからバス３ｅを介して出力信号を受信し、ＣＰＵ３ａの処理結果や操作者に対する報知等を表示する手段である。
【００２５】
通信制御手段３ｈは、ＬＡＮカードやモデム等の手段であり、情報処理端末３を発色反応検出機器２との間で、或いはインターネットやＬＡＮ等の通信ネットワークに接続することを可能とする手段である。通信制御手段３ｈを介して通信ネットワークと送受信したデータは入力信号または出力信号として、入出力インターフェイス３ｄ及びバス３ｅを介してＣＰＵ３ａに送受信される。なお、本発明の実施の形態において発色反応検出機器２と情報処理端末３との間は例えば、イーサネット（登録商標）によって接続されている。
【００２６】
記憶手段３ｉは、半導体や磁気ディスクで構成されており、ＣＰＵ３ａで実行されるプログラムやデータが記憶されている。
【００２７】
リムーバブルディスク３ｊは、光ディスクやフレキシブルディスクのことであり、ディスクドライブによって読み書きされた信号は、入出力インターフェイス３ｄ及びバス３ｅを介してＣＰＵ３ａに送受信される。
【００２８】
なお、本発明の実施の形態における情報処理端末３では、発色反応検出機器安定化プログラムが記憶手段３ｉ、或いはリムーバブルディスク３ｊに格納されており、ＣＰＵ３ａに読み込まれ実行されることにより安定化調整手段３０が情報処理端末３に実装されることになる。
【００２９】
図４は、情報処理端末３に実装された安定化調整手段３０の内部構成を示すブロック図である。以下に安定化調整手段３０内の各手段の働きをも合わせて図５に示す発色反応検出機器の安定化の流れを説明する。
【００３０】
まず、発色反応検出機器２を使用にあたって、発色反応検出機器２の蓋２１ｂを開く（ＳＴ１）。これは、安定化作業を行う際に使用する被測定物を開口部２１ａに載置するためである（ＳＴ２）。なお、ここで使用する被測定物（いわゆるチップ）は、実際に測定対象となるセンシング対象物質と反応するセンシング膜が備えられたチップではなく、センシング膜のないベアチップと呼ばれるチップである。ベアチップが発色反応検出機器２に載置された後、蓋２１ｂが閉められ（ＳＴ３）、発色反応検出機器２に電源が投入される（ＳＴ４）。
【００３１】
一方、情報処理端末３においては発色反応検出機器安定化プログラムを起動することによって安定化調整手段３０がＣＰＵ３ａに実装される（ＳＴ５）。これによって情報処理端末３において発色反応検出機器２が安定したか否かを判断することができるようにされる。発色反応検出機器２の駆動スイッチ２ｅが押し下げられることにより（ＳＴ６）、信号入力手段２２ｅからの信号が制御手段２２ｂに入力され、制御手段２２ｂは発光手段２２ａに発光の開始を指示する。これにより具体的な安定化の作業が開始する。
【００３２】
駆動スイッチ２ｅが押し下げられることにより、制御手段２２ｂは、発光手段２２ａが例えば、１秒に１回の割合で発光するように制御する。受光手段２２ｃは光導波路内を通ってきた光を受光して情報処理端末３に送信する。情報処理端末３では、安定化作業の開始から所定の時間にまずベースラインを確認する（ＳＴ７）。
【００３３】
発色反応検出機器２において検出される光検出信号の減衰率を算出するに当たって、その基準となるのはセンシング対象物質の検出がゼロである場合、すなわち、被測定物において光吸収作用が起こらず、光導波路を通った光の強度が減衰しない場合の光検出信号強度である。この信号レベルを以下、「ベースライン」と表記する。そこで、発色反応検出機器２の安定化を図るにあたっては、まずベアチップを用いて基準となるベースラインの確認を行う。
【００３４】
受光手段２２ｃで受光した光の光検出信号は情報処理端末３の通信制御手段３ｈを介して、安定化調整手段３０の受信手段３１に入る。受信手段３１では、この光検出信号を発光手段２２ａの発光回数分受信することになる。なお、ベースラインの確認にいくつの光検出信号を使用するか（どのくらいの時間発光させるか）は任意に設定することができる。
【００３５】
算出手段３２では、受信手段３１が受信した複数の光検出信号を基にベースラインを算出し、記憶手段３ｉに算出結果を記憶させる。発色反応検出機器２が安定したか否かの判断は、このベースラインと光検出信号の変動率を用いて行われる。
【００３６】
ベースラインの確認が終了すると、一旦、発色反応検出機器２の状態をリセットするために蓋２１ｂの開閉を行う。これによってインターロックもリセットされ（ＳＴ８及びＳＴ９）、その上で制御手段２２ｂが改めて駆動スイッチ２ｅが押し下げられたことを検知して（ＳＴ１０）安定化の作業に入る。
【００３７】
受光手段２２ｃは発光手段２２ａからの発光を受光するとその光検出信号を情報処理端末３に送信する。送信された光検出信号は記憶手段３ｉに記憶されるとともに、安定化調整手段３０の受信手段３１を介して算出手段３２に入る（ＳＴ１１）。算出手段３２では、例えば、１０分間分の光検出信号を基に光検出信号の変動率を算出する。但し、発色反応検出機器２に電源を投入してから１０分間は基となる光検出信号を受信して記憶手段３ｉに記憶するのみで算出手段３２では変動率の算出は行わない。光検出信号を検出する時間はここでは１０分としているが、任意に定めることができる。
【００３８】
検出時間は、図３の情報処理端末３の内部構成には図示しない時間計測手段において計測され、例えば、ＣＰＵ３ａにおいて設定された検出時間が経過したか否かが判断される（ＳＴ１２）。検出時間が経過した場合は（ＳＴ１２のＹＥＳ）、算出手段３２において光検出信号の変動率が算出される（ＳＴ１３）。
【００３９】
算出手段３２は、発色反応検出機器２から送信される複数の光検出信号から光検出信号の変動率を算出する。そして、判断手段３３がこの変動率と記憶手段３ｉに記憶されているベースラインとを比較することによって発色反応検出機器２において検出される光検出信号の値が安定したか否かを判断する（ＳＴ１４）。例えば、ベースラインを基準として±０．４％の範囲内に変動率が納まっているならば、安定していると判断することができる。なお、ベースラインを基準としてどの範囲内であれば安定していると判断するかは予めその範囲を決めておくことができる。
【００４０】
判断手段３３による比較、判断によって変動率が所定の範囲内にないと判断された場合（ＳＴ１４のＮＯ）、その結果は表示手段３ｇにおいて表示される。操作者はこの表示手段３ｇに表示された報知内容を参照して、改めてステップ７に戻り、その時点でのベースラインを確認するところから始めて安定化の手順を繰り返す。
【００４１】
一方、判断手段３３の判断結果が変動率は所定の範囲内にあるとする場合は（ＳＴ１４のＹＥＳ）、その旨が表示手段３ｇにおいて操作者に対して報知される。この報知を見た操作者は、発色反応検出機器２が安定したとして、測定作業を開始する。
【００４２】
このように、簡易な構成で発色反応検出機器が安定したことを検出し、使用時期を問わず安定的に高精度な検出を行うことを可能とした発色反応検出装置を提供することができる。
【００４３】
（第２の実施の形態）
次に本発明の第２の実施の形態について説明する。なお、第２の実施の形態において、上述の第１の実施の形態において説明した構成要素と同一の構成要素には同一の符号を付し、同一の構成要素の説明は重複するので省略する。
【００４４】
第１の実施の形態においては、光検出信号の変動率を算出するに当たって複数の光検出信号の値を使用することから、この光検出信号を検出する所定の時間を必要とした。また、光検出信号を検出するためにベアチップをセットする必要もあった。一方で、発明者の継続的な研究により、光検出信号の変動率は、発色反応検出機器２内の温度変化に影響を受けることが解明されてきた。
【００４５】
そこで、本発明の第２の実施の形態においては、発色反応検出機器２内に温度検出手段２２ｆを設け（図２参照）、検出された温度を基に発色反応検出機器２が安定したか否かを判断する。
【００４６】
温度検出手段２２ｆは、例えば、熱電対やサーミスタを好適に使用することができる。また、温度検出手段２２ｆの設置場所としては、例えば、発光手段２２ａ、受光手段２２ｃを含む光学ブロックを覆う断熱材の中や発光手段２２ａの発光を制御する制御手段２２ｂの近傍等を挙げることができる。
【００４７】
本発明の第２の実施の形態における発色反応検出機器２の安定化の流れは、図６のフローチャートに示すように、まず、発色反応検出機器２の電源を投入する（ＳＴ２１）。その後、情報処理端末３において発色反応検出機器安定化プログラムが起動される（ＳＴ２２）。このことによって安定化調整手段３０がＣＰＵ３ａに実装される。操作者によって例えば、情報処理端末３の表示手段３ｇに表示された画面に従って安定化作業開始のボタンをクリックすると、情報処理端末３から発色反応検出機器２に対して安定化作業を開始する旨の信号が送られ（ＳＴ２３）、安定化の作業が開始される。
【００４８】
発色反応検出機器２では電源が投入されることによって温度検出手段２２ｆが発色反応検出機器２内の温度変化を検出する（ＳＴ２４）。検出された温度に関する情報は、ネットワークを介して情報処理端末３が受信する（ＳＴ２５）。この温度に関する情報は記憶手段３ｉに記憶される。
【００４９】
記憶手段３ｉにはまず予め決められた時間、温度検出手段２２ｆからの温度に関する情報を記憶する。その後、図３の情報処理端末３の内部構成に図示しない時間計測手段がその決められた時間の経過を検出すると（ＳＴ２６のＹＥＳ）、算出手段３２において温度の変動率が算出される（ＳＴ２７）。なお、この検出時間は任意に定めることができる。
【００５０】
記憶手段３ｉには、予め発色反応検出機器２において計測される温度の変動率と安定化との関係を示す情報が記憶されている。この情報は、第２の実施の形態においては、例えば、発色反応検出機器２が安定していると判断することができる閾値を示すものである。従って、判断手段３３では、この情報と算出手段３２で算出された温度の変動率とを基に、変動率が閾値よりも低い値である場合に発色反応検出機器２が安定したと判断する（ＳＴ２８）。
【００５１】
温度の変動率が閾値よりも高い場合には（ＳＴ２８のＮＯ）、発色反応検出機器２が未だ安定していないと判断できるので、判断手段３３は表示手段３ｇを介して操作者に報知する。それと同時に、ステップ２７に戻り、算出手段３２がさらに発色反応検出機器２から継続して送信されてくる温度情報を基に温度の変動率を算出する。
【００５２】
温度の変動率が閾値よりも低い場合には（ＳＴ２８のＹＥＳ）、発色反応検出機器２は安定したと判断できるので、発色反応検出機器２の安定化作業は終了する。
【００５３】
このように、発色反応検出機器内の温度変化を基に安定化の作業を行うことによって、第１の実施の形態において述べた安定化の作業よりも、さらに簡易な構成で発色反応検出機器が安定したことを検出し、使用時期を問わず安定的に高精度な検出を行うことを可能とした発色反応検出装置を提供することができる。
【００５４】
なお、上述した本発明の実施の形態においては、作業者への報知手段として情報処理端末３における表示手段３ｇを用いて視覚的に報知する例を挙げているが、作業者への報知の方法は、例えば、聴覚に訴えるものであっても良い。
【００５５】
また、上述の発色反応検出装置では、情報処理端末が発色反応検出機器の状態を把握し安定化を図ることとしているが、情報処理端末が備える各手段を発色反応検出機器に設け、発色反応検出機器自体が自らの安定化を図るように構成することも可能である。
【００５６】
また、この発明は、上記実施の形態そのままに限定されるものではなく、実施段階ではその要旨を逸脱しない範囲で構成要素を変形して具体化できる。さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせても良い。
【図面の簡単な説明】
【００５７】
【図１】発色反応検出装置を構成する発色反応検出機器全体を示す斜視図である。
【図２】図１に示す発色反応検出機器の内部構成を示すブロック図である。
【図３】本発明の実施の形態に係る情報処理端末の内部構成を示すブロック図である。
【図４】図３に示す情報処理端末に実装される安定化調整手段の内部構成を示すブロック図である。
【図５】本発明の第１の実施の形態に係る発色反応検出機器の安定化の流れを示すフローチャートである。
【図６】本発明の第２の実施の形態に係る発色反応検出機器の安定化の流れを示すフローチャートである。
【符号の説明】
【００５８】
１…発色反応検出装置、２…発色反応検出機器、３…情報処理端末、２１…外部筐体、２２…内部筐体、２２ａ…発光手段、２２ｂ…制御手段２２ｂ…受光手段、２２ｄ…通信制御手段、２２ｅ…温度検出手段、３０…安定化調整手段、３１…受信手段、３２…算出手段、３３…判断手段、３４…送信手段。
【図１】
2009069066.tif 000003
【図２】
2009069066.tif 000004
【図３】
2009069066.tif 000005
【図４】
2009069066.tif 000006
【図５】
2009069066.tif 000007
【図６】
2009069066.tif 000008